(57)【要約】【課題】  本発明は、ファンフォールド紙の最上位から最下位までの水平面に対する傾きの変化を低減させることができるファンフォールド紙収納箱を提供することを課題とする。【解決手段】  ファンフォールド紙５の最上位の水平面に対する傾斜角の略１／２の角度で逆方向に傾いた傾斜面を有するスペーサ１２を収納箱１１の底面に設ける。また、ファンフォールド紙５の最上位の水平面に対する傾斜角の逆方向に傾いた傾斜面を有するスペーサ１３に、スペーサ１３の最上位部分から収納箱１１の一側面に沿って上部に延出した把持片１４を設け、スペーサ１３における傾斜面をファンフォールド紙５の傾斜角の略２／３の角度にする。【選択図】        図３
2006282324.tif 000002
【特許請求の範囲】
【請求項１】
水平面に載置すると堆積量の増加に伴って幅方向が傾斜した状態になるファンフォールド紙を収納するファンフォールド紙収納箱であって、
前記ファンフォールド紙の最上位の水平面に対する傾斜角の略１／２の角度で逆方向に傾いた傾斜面を有するスペーサが底面に設けられていることを特徴とするファンフォールド紙収納箱。
【請求項２】
水平面に載置すると堆積量の増加に伴って幅方向が傾斜した状態になるファンフォールド紙を収納するファンフォールド紙収納箱であって、
前記ファンフォールド紙の最上位の水平面に対する傾斜角の逆方向に傾いた傾斜面を有するスペーサが底面に設けられていると共に、
前記スペーサには、前記スペーサの最上位部分から収納箱の一側面に沿って上部に延出した把持片が形成されていることを特徴とするファンフォールド紙収納箱。
【請求項３】
前記スペーサは、前記ファンフォールド紙の最上位の水平面に対する傾斜角の略２／３の角度で傾いた傾斜面を有することを特徴とする請求項２記載のファンフォールド紙収納箱。
【請求項４】
前記把持片には、取り除くタイミングを指示する目盛りが設けられていると共に、
前記把持片の上端は、収納されたファンフォールド紙の当初の最上位よりも下側に位置していることを特徴とする請求項２又は３記載のファンフォールド紙収納箱。
【発明の詳細な説明】
【技術分野】
【０００１】
本発明は、ファンフォールド紙を収納するファンフォールド紙収納箱に関し、特に水平面に載置すると堆積量の増加に伴って一方向に傾斜した状態になるファンフォールド紙を収納するファンフォールド紙収納箱に関する。
【背景技術】
【０００２】
図５は、ファンフォールド紙の積載状況を説明するための説明図である。
近年、商品の物流管理等に用いられることが多くなってきているＲＦＩＤ１は、小型化しやすく小さな取り付けスペースにも対応できるため、商品等に貼付するラベル２に内蔵させて用いられることが多い。
【０００３】
ＲＦＩＤ１が内蔵されたラベル２に対してプリンタで印字を施す場合には、ＲＦＩＤ１が内蔵されたラベル２は、帯状台紙３に間隔をおいて仮着されたラベル連続体４としてプリンタに供給されるのが一般的であり、ラベル連続体４をロール状に巻き回したロール紙やジグザグ状に折り畳んで積み上げたファンフォールド紙５として流通している。なお、ＲＦＩＤとは、ＩＣチップ、アンテナ、通信手段等を有し、電波を用いて無線（非接触）で情報通信が可能なタグであり、非接触ＩＣタグ、無線ＩＣタグ、非接触ＩＣ等の他の呼称で表される場合もあるが、本明細書では、代表してＲＦＩＤと表現する。
【０００４】
ＲＦＩＤ１が内蔵されたラベル２をファンフォールド紙５として供給する場合には、図５（ａ）に示すように、ＲＦＩＤ１が送り出し方向に対して偏った位置に配置されていると、ＲＦＩＤ１部分（特にＩＣ部分）が隆起しているため、ＲＦＩＤ１部分（特にＩＣ部分）の隆起が蓄積する。従って、図５（ｂ）に示すように、ファンフォールド紙５を水平面に載置すると堆積量の増加に伴って一方向に傾斜した状態になり、ファンフォールド紙５が崩れたり、プリンタにラベル２が傾いた状態で供給されることで印字不良を引き起こす原因になったりする。
【０００５】
そこで、ファンフォールド紙５を収納すると共に、ファンフォールド紙５の傾きを補正するスペーサを底面に設けた収納箱が提案されている（例えば、特許文献１参照）。
【０００６】
しかしながら、従来技術では、ファンフォールド紙５の最上位が最も状態の良い、略水平になるようにスペーサの角度が設定されており、収納箱からファンフォールド紙５が送り出されて積載量が減るに従い、スペーサによってファンフォールド紙５が水平面から大きく傾いてしまうという問題点があった。
【特許文献１】特開２００２−８０１７３号公報
【発明の開示】
【発明が解決しようとする課題】
【０００７】
本発明は斯かる問題点に鑑みてなされたものであり、その目的とするところは、ファンフォールド紙の最上位から最下位までの水平面に対する傾きの変化を低減させることができるファンフォールド紙収納箱を提供する点にある。
【課題を解決するための手段】
【０００８】
本発明は上記課題を解決すべく、以下に掲げる構成とした。
請求項１記載の発明の要旨は、水平面に載置すると堆積量の増加に伴って幅方向が傾斜した状態になるファンフォールド紙を収納するファンフォールド紙収納箱であって、前記ファンフォールド紙の最上位の水平面に対する傾斜角の略１／２の角度で逆方向に傾いた傾斜面を有するスペーサが底面に設けられていることを特徴とするファンフォールド紙収納箱に存する。
また請求項２記載の発明の要旨は、水平面に載置すると堆積量の増加に伴って幅方向が傾斜した状態になるファンフォールド紙を収納するファンフォールド紙収納箱であって、前記ファンフォールド紙の最上位の水平面に対する傾斜角の逆方向に傾いた傾斜面を有するスペーサが底面に設けられていると共に、前記スペーサには、前記スペーサの最上位部分から収納箱の一側面に沿って上部に延出した把持片が形成されていることを特徴とするファンフォールド紙収納箱に存する。
また請求項３記載の発明の要旨は、前記スペーサは、前記ファンフォールド紙の最上位の水平面に対する傾斜角の略２／３の角度で傾いた傾斜面を有することを特徴とする請求項２記載のファンフォールド紙収納箱に存する。
また請求項４記載の発明の要旨は、前記把持片には、取り除くタイミングを指示する目盛りが設けられていると共に、前記把持片の上端は、収納されたファンフォールド紙の当初の最上位よりも下側に位置していることを特徴とする請求項２又は３記載のファンフォールド紙収納箱に存する。
【発明の効果】
【０００９】
本発明のファンフォールド紙収納箱は、ファンフォールド紙の最上位の水平面に対する傾斜角の略１／２の角度で逆方向に傾いた傾斜面を有するスペーサを底面に設けるように構成することにより、収納されたファンフォールド紙の最上位から最下位までの傾斜角を、ファンフォールド紙を水平面に載置した時の傾斜角の略１／２以内にすることができ、ファンフォールド紙の最上位から最下位までの水平面に対する傾きの変化を低減させることができるという効果を奏する。
【００１０】
本発明のファンフォールド紙収納箱は、ファンフォールド紙の最上位の水平面に対する傾斜角の逆方向に傾いた傾斜面を有するスペーサに、スペーサの最上位部分から収納箱の一側面に沿って上部に延出した把持片を設けるように構成することにより、把持片を引っ張ってスペーサを取り除くことで、ファンフォールド紙の傾斜角を調整することができるため、ファンフォールド紙の最上位から最下位までの水平面に対する傾きの変化を低減させることができるという効果を奏する。さらに、スペーサにおける傾斜面をファンフォールド紙の傾斜角の略２／３の角度にすることにより、ファンフォールド紙を水平面に載置した時の傾斜角の略１／３以内にすることができ、ファンフォールド紙の最上位から最下位までの水平面に対する傾きの変化をさらに低減させることができるという効果を奏する。
【発明を実施するための最良の形態】
【００１１】
以下、本発明の実施の形態を図面に基づいて詳細に説明する。
【００１２】
（第１の実施の形態）
図１は、本発明に係るファンフォールド紙の第１の実施の形態の構成を示す斜視図であり、図２は、図１に示すスペーサの角度を説明するための説明図である。
【００１３】
第１の実施の形態のファンフォールド紙収納箱１０は、水平面に載置すると堆積量の増加に伴って幅方向（ファンフォールド紙５の送り出し方向に対して直交する方向）が傾斜した状態になるファンフォールド紙５を収納するものであり、図１（ａ）を参照すると、底面と４側面とを備えた収納箱１１の底面に、ファンフォールド紙５の傾きを補正するスペーサ１２が設けられている。
【００１４】
スペーサ１２は、図１（ｂ）を参照すると、板状の部材を２箇所折り曲げて形成されたものであり、収納箱１１の底面に載置される水平面１２ａと、収納箱１１の一側面と平行な垂直面１２ｂと、ファンフォールド紙５の最下位が載置される傾斜面１２ｃとで構成されることで傾斜面１２ｃの傾斜角が設定されている。
【００１５】
図２（ａ）に示すように、収納箱１１に収納するファンフォールド紙５を水平面に載置した時に、最上位の水平面に対する傾斜角が角度αである場合に、スペーサ１２、すなわち傾斜面１２ｃは、図２（ｂ）に示すように、ファンフォールド紙５の最上位の傾きとは逆方向に傾けられていると共に、傾斜面１２ｃの傾斜角は、角度α／２に設定されている。
【００１６】
これにより、収納箱１１に収納された当初におけるファンフォールド紙５の最上位（以下、当初最上位と称す）の水平面に対する傾斜角は、図２（ｂ）に示すように、角度α／２に低減されると共に、ファンフォールド紙５の最下位の水平面に対する傾斜角は、傾斜面１２ｃの傾斜角と同一となるため、角度α／２（ファンフォールド紙５の当初最上位の傾きとは逆方向）となる。
【００１７】
なお、スペーサ１２、すなわち傾斜面１２ｃの傾斜角は、厳密に角度α／２に設定する必要がないことは明らかであり、収納箱１１に収納するファンフォールド紙５の傾きを低減させるという効果を奏する範囲内であれば、角度α／２の±１０度程度まで許容されると考えられる。
【００１８】
以上説明したように、第１の実施の形態によれば、ファンフォールド紙５の最上位の水平面に対する傾斜角の略１／２の角度で逆方向に傾いた傾斜面を有するスペーサ１２を収納箱１１の底面に設けるように構成することにより、収納されたファンフォールド紙５の最上位から最下位までの傾斜角を、ファンフォールド紙５を水平面に載置した時の傾斜角の略１／２以内にすることができ、ファンフォールド紙５の最上位から最下位までの水平面に対する傾きの変化を低減させることができるという効果を奏する。
【００１９】
（第２の実施の形態）
図３は、本発明に係るファンフォールド紙の第２の実施の形態の構成を示す斜視図であり、図４は、図３に示すスペーサの角度を説明するための説明図である。
【００２０】
第２の実施の形態のファンフォールド紙収納箱２０は、水平面に載置すると堆積量の増加に伴って幅方向（ファンフォールド紙５の送り出し方向に対して直交する方向）が傾斜した状態になるファンフォールド紙５を収納するものであり、図３（ａ）を参照すると、底面と４側面とを備えた収納箱１１の底面に、ファンフォールド紙５の傾きを補正するスペーサ１３が設けられている。
【００２１】
スペーサ１３は、図３（ｂ）を参照すると、板状の部材を２箇所折り曲げて形成されたものであり、収納箱１１の底面に載置される水平面１３ａと、収納箱１１の一側面と平行な垂直面１３ｂと、ファンフォールド紙５の最下位が載置される傾斜面１３ｃとで構成されることで傾斜面１３ｃの傾斜角が設定されていると共に、垂直面１３ｂと傾斜面１３ｃとの接片、すなわちスペーサ１３の最上位部分から収納箱１１の一側面に沿って上部に延出した把持片１４が形成されている。把持片１４は、例えば傾斜面１３ｃの水平面１３ｂと接する箇所の一部分を切り抜くことで形成することができる。
【００２２】
先に図２（ａ）に示したように、収納箱１１に収納するファンフォールド紙５の最上位の水平面に対する傾斜角が角度αである場合に、スペーサ１３、すなわち傾斜面１３ｃは、図４（ａ）に示すように、ファンフォールド紙５の最上位の傾きとは逆方向に傾けられていると共に、傾斜面１３ｃの傾斜角は、角度２α／３に設定されている。
【００２３】
これにより、収納箱１１に収納されたファンフォールド紙５の当初最上位の水平面に対する傾斜角は、図４（ａ）に示すように、角度α／３に低減される。
【００２４】
図４（ａ）に示す状態から、収納箱１１に収納されたファンフォールド紙５が順次送り出されると、ファンフォールド紙５の最上位の傾斜角は、水平（角度０）になった後、図４（ｂ）に示すように、逆方向に傾いて角度α／３に到達する。
【００２５】
図４（ｂ）に示す状態で、把持片１４を把持して引っ張ることにより、スペーサ１３を取り除くと、図４（ｃ）に示すように、ファンフォールド紙５は、収納箱１１の底面に直接載置され、ファンフォールド紙５の最上位の水平面に対する傾斜角は、角度α／３になると共に、ファンフォールド紙５の最下位の水平面に対する傾斜角は、収納箱１１の底面と同一となるため、水平面となる。なお、把持片１４にスペーサ１３を取り除くタイミングを指示する目盛りを設け、図４（ｂ）に示す状態でファンフォールド紙５の最上位が目盛りに到達するように構成すると、ユーザがスペーサ１３を取り除くタイミングを簡単に把握することができる。また、把持片１４の上端を、収納箱１１に収納するファンフォールド紙５の当初最上位よりも下側に位置させるように構成すると、プリンタへのセッティング時に誤ってスペーサ１３が取り除かれることがない。
【００２６】
なお、スペーサ１３、すなわち傾斜面１３ｃの傾斜角は、厳密に角度２α／３に設定する必要がないことは明らかであり、収納箱１１に収納するファンフォールド紙５の傾きを低減させるという効果を奏する範囲内であれば、角度α／３の±１０度程度まで許容されると考えられる。
【００２７】
以上説明したように、第２の実施の形態によれば、ファンフォールド紙５の最上位の水平面に対する傾斜角の逆方向に傾いた傾斜面を有するスペーサ１３に、スペーサ１３の最上位部分から収納箱１１の一側面に沿って上部に延出した把持片１４を設けるように構成することにより、把持片１４を引っ張ってスペーサ１３を取り除くことで、ファンフォールド紙５の傾斜角を調整することができるため、ファンフォールド紙５の最上位から最下位までの水平面に対する傾きの変化を低減させることができるという効果を奏する。さらに、スペーサ１３における傾斜面をファンフォールド紙５の傾斜角の略２／３の角度にすることにより、ファンフォールド紙５を水平面に載置した時の傾斜角の略１／３以内にすることができ、ファンフォールド紙５の最上位から最下位までの水平面に対する傾きの変化をさらに低減させることができるという効果を奏する。
【００２８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２９】
【図１】本発明に係るファンフォールド紙の第１の実施の形態の構成を示す斜視図である。
【図２】図１に示すスペーサの角度を説明するための説明図である。
【図３】本発明に係るファンフォールド紙の第２の実施の形態の構成を示す斜視図である。
【図４】図３に示すスペーサの角度を説明するための説明図である。
【図５】ファンフォールド紙の積載状況を説明するための説明図である。
【符号の説明】
【００３０】
１  ＲＦＩＤ
２  ラベル
３  帯状台紙
４  ラベル連続体
５  ファンフォールド紙
１０  ファンフォールド紙収納箱（第１の実施の形態）
１１  収納箱
１２  スペーサ（第１の実施の形態）
１２ａ  水平面
１２ｂ  垂直面
１２ｃ  傾斜面
１３  スペーサ（第２の実施の形態）
１３ａ  水平面
１３ｂ  垂直面
１３ｃ  傾斜面
１４  把持片
２０  ファンフォールド紙収納箱（第２の実施の形態）
【図１】
2006282324.tif 000003
【図２】
2006282324.tif 000004
【図３】
2006282324.tif 000005
【図４】
2006282324.tif 000006
【図５】
2006282324.tif 000007